(57)【要約】【課題】カバーの剛性が弱い場合でも、カバーを本体に確実にロックすることができる画像形成装置を提案する。【解決手段】本体２と、本体２内に装着され画像形成に必要なトナーを収容するトナーカートリッジ３と、本体２からトナーカートリッジ３を着脱できるように第１軸２１を介して回動し、本体２に対して開閉する開閉部材２２とを有する画像形成装置１において、トナーカートリッジ３と開閉部材２２との間に、第２軸２３周りに回動可能な回動レバー３１を設け、本体２に開閉部材２２が閉じる際に、回動レバー３１が開閉部材２２に設けた突起部２６と摺接し下方に押圧しながら、開閉部材２２に近づくように第２軸２３周りに回動する。【選択図】図４
2010107552.tif 000002
【特許請求の範囲】
【請求項１】
本体と、該本体内に装着され画像形成に必要なトナーを収容するトナーカートリッジと、前記本体から前記トナーカートリッジを着脱できるように第１軸を介して回動し、前記本体に対して開閉する開閉部材と、を有する画像形成装置において、
前記トナーカートリッジと前記開閉部材との間に、第２軸周りに回動可能な回動レバーを設け、
前記本体に前記開閉部材が閉じる際に、前記回動レバーが前記開閉部材に設けた突起部と摺接し下方に押圧しながら、前記開閉部材に近づくように前記第２軸周りに回動することを特徴とする画像形成装置。
【請求項２】
前記回動レバーは、前記突起部の第１摺接面に摺接して前記トナーカートリッジに向かって前記第２軸周りに回動する際、前記トナーカートリッジと当接して前記トナーカートリッジを位置決めするカートリッジ押さえレバーであることを特徴とする請求項１に記載の画像形成装置。
【請求項３】
前記カートリッジ押さえレバーは、前記トナーカートリッジと当接した後、前記突起部の第１摺接面と反対側の第２摺接面に摺接して前記開閉部材に向かって前記第２軸周りに回動することを特徴とする請求項２に記載の画像形成装置。
【請求項４】
前記本体は更に、前記トナーカートリッジに向かって付勢され、前記トナーカートリッジの端部に設けられたラックユニットと係合して前記ラックユニットを固定するラック止め具を有し、
前記回動レバーは、前記開閉部材を開いた状態から本体に閉じていくと、前記突起部の第１摺接面に摺接して前記第２軸周りに回動し、前記ラック止め具を前記ラックユニットから退避させるラックアンロックレバーであることを特徴とする請求項１に記載の画像形成装置。
【請求項５】
前記ラックアンロックレバーの端部に、前記開閉部材が閉じた状態で前記突起部に当接する傾斜面を設けたことを特徴とする請求項４に記載の画像形成装置。
【請求項６】
前記開閉部材の重心は、前記第１軸よりも本体の外方に位置することを特徴とする請求項１から５のいずれかに記載の画像形成装置。
【請求項７】
前記突起部は、前記開閉部材の前記第１軸の近傍に位置することを特徴とする請求項１から６のいずれかに記載の画像形成装置。
【請求項８】
前記本体は更に、一方の側面部に安全スイッチを有し、
前記回動レバーは、前記本体の安全スイッチと反対側の側面部近傍に位置することを特徴とする請求項１から７のいずれかに記載の画像形成装置。
【発明の詳細な説明】
【技術分野】
【０００１】
本発明は、電子写真プロセスを用いた複写機、プリンタ、ファクシミリなどの、開閉カバーを備えた画像形成装置に関する。
【背景技術】
【０００２】
従来、画像形成装置の開閉カバーを安定して閉じるために、開閉カバーの肉厚を増したり、リブ形状を追加することで剛性を持たせ、又は別部材の補強部材の追加などで対応してきた。そのため、機械の大型化、且つ重量が増加するという問題があった。
【０００３】
そこで、小型軽量化のために開閉カバーを薄肉化していたが、開閉カバーの剛性が落ちることで、開閉操作時に開閉カバーの一方向だけロックされ、他方がロックされない状態（片ロック）になる。
【０００４】
特に安全スイッチが配置されている側が片ロック構成となり機械が作動状態になると、機械部品（ラック保持）が破損したり、レーザ光が外部に漏れるという問題があった。更に、カバー開閉時、画像形成用カートリッジ、またはカートリッジを支持するラックを固定する必要があった。
【０００５】
また、安全スイッチを用いて誤作動を防止する画像形成装置が、以下のように提案されている。
【０００６】
例えば特許文献１には、カバーの閉塞に伴って、押圧レバーが押圧アームを介して安全スイッチの作動部材を押圧して安全スイッチをオンさせる複写機が提案されている。
【０００７】
特許文献２には、開閉フレーム及び前カバーがともに閉止状態である場合には、第１リンク部材が開閉フレームの内面に押圧されて支持軸が案内孔の右端に位置し、前カバーの突起が、第２リンク部材の当接部を押圧して、第２リンク部材を支軸周りに回動させており、第２リンク部材の操作突起が安全スイッチの被操作部を押圧することにより、安全スイッチがオン状態になる画像形成装置が提案されている。
【０００８】
特許文献３には、第１、第２の扉の閉鎖状態、すなわちスタンバイ状態においては、係合部が閉鎖状態の第２の扉に係合することでスイッチ本体が作動位置に配置され、この時、アームは、閉鎖状態の第１の扉に係合されてオン状態に配置されることで複写機に対する通電が許容される複写機が提案されている。
【０００９】
しかし、前記いずれの特許文献に記載の画像形成装置、または複写機においても、カバーを本体に閉じる際に、開閉部材を本体に引き込むことができないという問題があった。
【００１０】
【特許文献１】特開平８−２４１０２５号公報
【特許文献２】特開平１１−２４９３６５号公報
【特許文献３】特開２００２−９１２５０号公報
【発明の開示】
【発明が解決しようとする課題】
【００１１】
本発明は、前記従来の問題点に鑑みてなされたもので、カバーの剛性が弱い場合でも、カバーを本体に引き込み、確実にロックすることができる画像形成装置を提供することを課題とする。
【課題を解決するための手段】
【００１２】
前記課題を解決するための手段として、本発明に係る画像形成装置は、  本体と、該本体内に装着され画像形成に必要なトナーを収容するトナーカートリッジと、前記本体から前記トナーカートリッジを着脱できるように第１軸を介して回動し、前記本体に対して開閉する開閉部材と、を有する画像形成装置において、
前記トナーカートリッジと前記開閉部材との間に、第２軸周りに回動可能な回動レバーを設け、
前記本体に前記開閉部材が閉じる際に、前記回動レバーが前記開閉部材に設けた突起部と摺接し下方に押圧しながら、前記開閉部材に近づくように前記第２軸周りに回動することが好ましい。
【００１３】
これにより、回動レバーが突起部を下方に押圧して、第１軸を介して開閉部材を本体に向かって付勢するので、カバーの剛性が弱い場合でも開閉部材を本体に引き込み、確実にロックすることができる。
【００１４】
前記回動レバーは、前記突起部の第１摺接面に摺接して前記トナーカートリッジに向かって前記第２軸周りに回動する際、前記トナーカートリッジと当接して前記トナーカートリッジを位置決めするカートリッジ押さえレバーであることが好ましい。
【００１５】
これにより、不完全に位置決めされたトナーカートリッジを、回動レバーであるカートリッジ押さえレバーが押圧して完全に位置決めすることができる。
【００１６】
前記カートリッジ押さえレバーは、前記トナーカートリッジと当接した後、前記突起部の第１摺接面と反対側の第２摺接面に摺接して前記開閉部材に向かって前記第２軸周りに回動することが好ましい。
【００１７】
これにより、開閉部材を閉じる際にまず、カートリッジ押さえレバーは突起部の第１摺接面に摺接しながら回動してトナーカートリッジを位置決めすると共に、次にカートリッジ押さえレバーは突起部の第２摺接面と摺接し下方に押圧しながら回動して、開閉カバーを本体に引き込み、確実にロックすることができる。
【００１８】
前記本体は更に、前記トナーカートリッジに向かって付勢され、前記トナーカートリッジの端部に設けられたラックユニットと係合して前記ラックユニットを固定するラック止め具を有し、
前記回動レバーは、前記開閉部材を開いた状態から本体に閉じていくと、前記突起部の第１摺接面に摺接して前記第２軸周りに回動し、前記ラック止め具を前記ラックユニットから退避させるラックアンロックレバーであることが好ましい。
【００１９】
これにより、開閉部材を開いた状態から閉じていくと、前記ラック止め具と前記ラックユニットとの係合を解除し、トナーカートリッジの回転を可能にする。
【００２０】
前記ラックアンロックレバーの端部に、前記開閉部材が閉じた状態で前記突起部に当接する傾斜面を設けたことが好ましい。
【００２１】
これにより、開閉部材を本体に閉じた際に、ラックアンロックレバーの傾斜面が開閉部材の突起部に当接して、突起部を斜め下方に押圧することができる。従って、第１軸を介して開閉部材を本体に向かって付勢し、開閉部材を本体に、より確実にロックすることができる。
【００２２】
前記開閉部材の重心は、前記第１軸よりも本体の外方に位置することが好ましい。
【００２３】
これにより、開閉部材を本体から開放する際に、開閉レバーが突起部と当接して下方に押圧していても、開閉部材に余分な力を作用せず容易に本体から開放することができる。
【００２４】
前記突起部は、前記開閉部材の前記第１軸の近傍に位置することが好ましい。
【００２５】
これにより、突起部を下方に押圧する力が第１軸を介して効果的に伝達して、開閉部材を本体に向かって付勢することができる。
【００２６】
前記本体は更に、一方の側面部に安全スイッチを有し、
前記回動レバーは、前記本体の安全スイッチと反対側の側面部近傍に位置することが好ましい。
【００２７】
これにより、回動レバーが設けられたトナーカートリッジの一方の側面部が、回動レバーにより完全にロックされ、回動レバーが設けられないトナーカートリッジの他方の側面部のロックが不完全でも、これを安全スイッチが検知する。従って、開閉部材が不完全にロックされた状態で画像形成装置が起動するのを防止することができる。
【発明の効果】
【００２８】
本体に開閉部材が閉じる際に、回動レバーが突起部を下方に押圧して、第１軸を介して開閉部材を本体に向かって付勢するので、カバーの剛性が弱い場合でも開閉部材を本体に引き込み、確実にロックすることができる。
【発明を実施するための最良の形態】
【００２９】
これより、本発明の実施形態について図面を参照しながら説明する。
図１に、本発明の１つの実施形態の画像形成装置１を示す。画像形成装置１は、本体２の内部に、それぞれ、シアン、マゼンタ、イエローおよびブラックのトナーを収容するトナーカートリッジ３を環状に保持する現像ロータリユニット４と、表面に静電潜像を形成できる回転可能な感光体５、感光体５を帯電させる帯電器６、１次転写ローラ７および１次転写ローラ７によって感光体５に形成した画像が転写される中間転写ベルト８を保持するイメージングユニット９と、感光体５を露光する露光ユニット１０と、２次転写ローラ１１と、定着ユニット１２と、給紙ユニット１３とを備える。
【００３０】
イメージングユニット９は、感光体５、帯電器６および１次転写ローラ７を保持する感光体フレーム１４と、中間転写ベルト８を張架した張架ローラ１５，１６およびテンションローラ１７を保持する中間転写フレーム１８とからなる。感光体５は、中間転写ベルト８の外側に位置し、１次転写ローラ７は、中間転写ベルト８の内側に当接し、中間転写ベルト８を介して感光体５と１次転写ローラ７とが対向するように保持されている。
【００３１】
また、イメージングユニット９は、本体２の蓋１９を軸２０周りに開放して画像形成装置１に着脱できるようになっており、装着状態で、感光体５が現像ロータリユニット４のいずれかのトナーカートリッジ３と対向すると共に、張架ローラ１５が中間転写ベルト８を介して２次転写ローラ１１に圧接するようになっている。
【００３２】
図２に示すように、本体正面２ａには本体２に設けられた第１軸２１周りに回動する開閉部材である開閉カバー２２と、本体正面２ａとトナーカートリッジ３との間であって、第１軸２１の近傍に設けられた第２軸であるカートリッジ押さえレバー回動軸２３周りに回動する回動レバーであるカートリッジ押さえレバー３１とが配置されている。
【００３３】
開閉カバー２２の下端には、突起部である第１突起部２６が設けられている。第１突起部２６は、開閉カバー２２を本体２に閉じた状態で、開閉カバー２２の下端からトナーカートリッジ３に向かって延びる第１摺接面２７と、第１摺接面２７から上方に向かって湾曲する湾曲面２８と、湾曲面２８から開閉カバー２２に向かって延びる第２摺接面２９とから構成されている。また、開閉カバー２２の重心は、第１軸２１よりも本体２の外方に位置している。
【００３４】
カートリッジ押さえレバー３１の上部には湾曲面を有するヘッド部３２が設けられると共に、カートリッジ押さえレバー３１の中部には開閉カバー２２に向かう凸部３３が設けられている。凸部３３は、上側の第１面３４と下側の第２面３５とを有している。また、カートリッジ押さえレバー３１は、本体２に連結されたばね３７により、開閉カバー２２に向かって付勢されている。
【００３５】
カートリッジ押さえレバー３１は例えば、本体２の両側面部２カ所に設けてもよく、また本体２の、後述する安全スイッチ４１が設けられた反対側の側面部１カ所に設けてもよい。
【００３６】
図６に示すように、本体２の側面部２ｂには安全スイッチ４１（図９参照）をオン、またはオフする作動レバー４２が配置されている。作動レバー４２は図９に示すように、本体２に設けられた軸４３と嵌合する長穴４４と、長穴４４から安全スイッチ４１に向かって延びる第１腕部４６と、長穴４４から開閉カバー２２に向かって延びる第２腕部４７とからなる。作動レバー４２は、本体２のフレーム４８と第１腕部４６とを連結するばね４９により、上方に付勢されている。
【００３７】
更に、図７に示すように、トナーカートリッジ３の端部には、トナーカートリッジ３の外周を囲繞するラックユニット５１が設けられている。このラックユニット５１は外周面に段部５２を有し、この段部５２に、ばね６４によりトナーカートリッジ３に向かって付勢されるラック止め具５３の先端が係合することで、回転不能に固定される。ラック止め具５３は、回動レバーであるラックアンロックレバー５７を介して、開閉カバー２２の開閉動作に連動して段部５２と係合する、またはその係合を解除するように配置されている。ラックアンロックレバー５７は、開閉カバー２２に設けられた突起部である第２突起部５４と摺接して、第２軸であるラックアンロックレバー回動軸５６周りに回動する。
【００３８】
開閉カバー２２の第２突起部５４は、図９に示すように開閉カバー２２を本体２に閉じた状態で、第２突起部５４の下縁に水平に形成され、開閉カバー２２からトナーカートリッジ３に向かって延びる第１摺接面５８と、第１摺接面５８から上方に向かって湾曲する第２摺接面５９とからなる。更に、第２摺接面５９は、第１摺接面５８と連続する湾曲面６０と、湾曲面６０から開閉カバー２２に向かって延びる当接面６１とからなる。
【００３９】
また、ラックアンロックレバー５７は、ラックアンロックレバー回動軸５６から第２突起部５４に向かって延び、この第２突起部５４と摺接する第１腕部６２と、ラックアンロックレバー回動軸５６からラック止め具５３に向かって延び、このラック止め具５３と当接する第２腕部６３とから構成されている。第１腕部６２のラックアンロックレバー回動軸５６と反対側の端部には、傾斜面６２ａが形成されている。
【００４０】
次に本発明の実施形態に係るカートリッジ押さえレバー３１の動作を説明する。
開閉カバー２２が開いた状態では、図２に示すように、カートリッジ押さえレバー３１のヘッド部３２がトナーカートリッジ３から退避し、第１面３４が第１突起部２６の第１摺接面２７と対向している。また、開閉カバー２２が開いた状態でトナーカートリッジ３の点検や交換がなされたために、トナーカートリッジ３に不完全に位置決めされている。この状態で、開閉カバー２２を本体２に対して閉じていく際にはまず、開閉カバー２２の第１突起部２６の第１摺接面２７がカートリッジ押さえレバー３１の第１面３４と摺接しながら第１軸２１周りに時計方向に回動する。これにより、ばね３７により開閉カバー２２に向かって付勢されているカートリッジ押さえレバー３１は、トナーカートリッジ３に向かって第２軸２３周りに回動する。
【００４１】
開閉カバー２２が続けて回動すると、図３に示すように、第１突起部２６の湾曲面２８がカートリッジ押さえレバー３１の第１面３４から第２面３５にかけて摺接する。これにより、カートリッジ押さえレバー３１が第２軸２３周りにトナーカートリッジ３に向かって回動し、ヘッド部３２が現像ロータリユニット４に位置決めされていないトナーカートリッジ３を、現像ロータリユニット４に向かって押圧する。従って、現像ロータリユニット４に不完全に位置決めされたトナーカートリッジ３を、カートリッジ押さえレバー３１が押圧して完全に位置決めすることができる。
【００４２】
更に開閉カバー２２が回動すると、図４に示すように、第１突起部２６の第２摺接面２９がカートリッジ押さえレバー３１の第２面３５と摺接すると共に、カートリッジ押さえレバー３１はばね３７に付勢されて開閉カバー２２に向かって、第２軸２３周りに回動する。
【００４３】
最後に、図５に示すように、第１突起部２６の第２摺接面２９とカートリッジ押さえレバー３１の第２面３５とが当接した状態で、開閉カバー２２が本体２に対してロックされる。以上のように、カートリッジ押さえレバー３１の第２面３５が第１突起部２６の第２摺接面２９を下方に押圧することにより、第１軸２１を介して開閉カバー２２を本体２に向かって付勢するので、開閉カバー２２の剛性が弱い場合でも、開閉カバー２２を本体２に引き込み、確実にロックすることができる。
【００４４】
また、第１突起部２６が開閉カバー２２の第１軸２１の近傍に位置するので、第１突起部２６を下方に押圧する力が第１軸２１を介して効果的に伝達して、開閉カバー２２を本体２に向かって付勢して引き込むことができる。
【００４５】
更に、開閉カバー２２の重心が第１軸２１よりも本体２の外方に位置するので、開閉カバー２２を本体２から開放する際に、カートリッジ押さえレバー３１が第１突起部２６の第２摺接面２９と当接して下方に押圧することで第１軸２１を介して開閉カバー２２をトナーカートリッジ３に向かって付勢していても、開閉カバー２２に余分な力を作用せず容易に本体２から開放することができる。
【００４６】
次に本発明の実施形態に係るラックアンロックレバー５７の動作を説明する。
図７に示すように開閉カバー２２が開放した状態では、ばね６４によりラック止め具５３がトナーカートリッジ３に向かって付勢されており、ラック止め具５３の先端がラックユニット５１の段部５２と係合するので、ラックユニット５１、及びトナーカートリッジ３は固定されている。また、この状態では開閉カバー２２に設けた第２突起部５４の第１摺接面５８と、ラックアンロックレバー５７の第１腕部６３とが当接している。
【００４７】
開閉カバー２２を本体２に閉じていくと、図８に示すように、開閉カバー２２が軸２１周りに時計方向に回動すると共に、開閉カバー２２に設けた第２突起部５４も軸２１周りに回動する。この時、第２突起部５４の湾曲面６０が、ラックアンロックレバー５７の第１腕部６２と当接して、第１腕部６２をトナーカートリッジ３に向かって押圧する。これにより、ラックアンロックレバー５７はラックアンロックレバー回動軸５６周りに反時計方向に回動して、第２腕部６３がラック止め具５３を矢印方向に押圧するので、ラック止め具５３と段部５２との係合を解除して、トナーカートリッジ３の回転を可能にする。
【００４８】
また、湾曲面６０がラックアンロックレバー５７の第１腕部６２と当接する際には、その反力として、湾曲面６０が第１腕部６２から矢印に示す方向に力を受ける。これにより、開閉カバー２２が、第１軸２１周りに本体２に向かって付勢することができる。
【００４９】
開閉カバー２２が本体２に閉じた状態では、図９に示すように、第２突起部５４の当接面６１が第１腕部６２の傾斜面６２ａと当接し、当接面６１は矢印方向に付勢されている。従って、剛性が弱い場合でも開閉カバー２２は、第１軸２１を介して本体２方向に付勢されるので、開閉カバー２２を本体２に引き込み、確実にロックすることができる。
【００５０】
次に作動レバー４２、及び安全スイッチ４１の動作を説明する。
図１０に示すように、本体２からイメージングユニット９を取り外した状態では、作動レバー４２はばね４９により第１腕部４６が上方に付勢されているので、作動レバー４２は軸２０（図１参照）周りに回動する蓋１９に設けたリブ１９ａの回動軌跡外にある。従って、本体２からイメージングユニット９を取り外した状態では、蓋体１９を軸２０周りに開閉しても作動レバー４２が作動して安全スイッチ４１をオンすることがないので、画像形成装置１の誤作動を防止することができる。
【００５１】
図１１に示すように、本体２にイメージングユニット９を装着すると、イメージングユニット９に設けたリブ９ａが第１腕部４６の上面を下方に押圧する。これにより、作動レバー４２は軸４３周りに時計方向に回動して、第１腕部４６の端部がリブ１９ａの回動軌跡内に入る。従って、蓋１９を開放状態から閉じていくと、図１２に示すようにリブ１９ａの下縁面１９ｂが第１腕部４６の端部と当接して下方に押圧する。しかし、この状態では、第１腕部４６が安全スイッチ４１に当接していないので、開閉カバー２２が開放した状態で安全スイッチ４１をオンして、画像形成装置１が作動するのを防止することができる。
【００５２】
蓋１９を本体２に閉じた状態で開閉カバー２２を開放状態から閉じていくと、図１３に示すように、開閉カバー２２に設けたリブ２２ａが作動レバー４２の第２腕部４７と当接する。これにより、作動レバー４２はリブ１９ａの下縁面１９ｂに当接したまま、軸４３周りに反時計回りに回動することで第１腕部４６の下面が安全スイッチ４１をオンする。安全スイッチ４１をオンすると、画像形成装置１はウォーミングアップを開始して、印字動作の準備段階に入る。
【００５３】
上記動作を行う作動レバー４２及び安全スイッチ４１と反対側の本体２側面部近傍にカートリッジ押さえレバー３１を設けることで、カートリッジ押さえレバー３１が設けられた本体２の側面部が、カートリッジ押さえレバー３１により完全にロックされ、カートリッジ押さえレバー３１が設けられない本体２の他方の側面部が不完全にロックされても、安全スイッチ４１はオンしない。従って、開閉カバー２２が不完全にロックされた状態で画像形成装置１が起動するのを防止することができる。
【００５４】
なお、本発明は前記実施形態に限定されない。
【００５５】
第１突起部２６及びカートリッジ押さえレバー３１に関しては、開閉カバー２２を閉じる際に、トナーカートリッジ３を押圧すると共に、第１突起部２６とカートリッジ押さえレバー３１とが摺接して開閉カバー２２を本体２に向かって付勢し、開閉カバー２２を確実にロックすることができる限り、形状は特に限定されない。
【００５６】
第２突起部５４及びラックアンロックレバー５７に関しては、開閉カバー２２を閉じる際に、第２突起部５４とラックアンロックレバー５７とが摺接して開閉カバー２２を本体２に向かって付勢し、開閉カバー２２を確実にロックするのを補助することができる限り、形状は特に限定されない。
【図面の簡単な説明】
【００５７】
【図１】本発明の１つの実施形態の画像形成装置の概略図。
【図２】図１の開閉カバーが開いた状態の回動レバーとトナーカートリッジとの部分拡大側面図。
【図３】図１の開閉カバーが少し閉じた状態の回動レバーとトナーカートリッジとの部分拡大側面図。
【図４】図１の開閉カバーが更に閉じた状態の回動レバーとトナーカートリッジとの部分拡大側面図。
【図５】図１の開閉カバーが本体にロックされた状態の回動レバーとトナーカートリッジとの部分拡大側面図。
【図６】作動レバーの位置を示す図１の画像形成装置の部分破断斜視図。
【図７】図１の開閉カバーが開いた状態のラックアンロックレバーとラック止め具との部分拡大断面図。
【図８】図１の開閉カバーが少し閉じた状態のラックアンロックレバーとラック止め具との部分拡大断面図。
【図９】図１の開閉カバーが完全に閉じた状態のラックアンロックレバーとラック止め具との部分拡大断面図。
【図１０】図１のイメージングユニットを取り外した状態の作動レバーと安全スイッチとを示す部分拡大側面図。
【図１１】図１のイメージングユニットを装着し開閉カバーと蓋が開いた状態の作動レバーと安全スイッチとを示す部分拡大側面図。
【図１２】図１０の蓋を閉じた状態の作動レバーと安全スイッチとを示す部分拡大側面図。
【図１３】図１１の開閉カバーを閉じた状態の作動レバーと安全スイッチとを示す部分拡大側面図。
【符号の説明】
【００５８】
１  画像形成装置
２  本体
３  トナーカートリッジ
２１  第１軸
２２  開閉部材（開閉カバー）
２３  カートリッジ押さえレバー回動軸（第２軸）
２６  第１突起部（突起部）
２７  第１摺接面
２９  第２摺接面
３１  カートリッジ押さえレバー（回動レバー）
４１  安全スイッチ
５１  ラックユニット
５３  ラック止め具
５４  第２突起部（突起部）
５６  ラックアンロックレバー回動軸（第２軸）
５７  ラックアンロックレバー（回動レバー）
６２ａ  傾斜面
６４  ばね
【図１】
2010107552.tif 000003
【図２】
2010107552.tif 000004
【図３】
2010107552.tif 000005
【図４】
2010107552.tif 000006
【図５】
2010107552.tif 000007
【図６】
2010107552.tif 000008
【図７】
2010107552.tif 000009
【図８】
2010107552.tif 000010
【図９】
2010107552.tif 000011
【図１０】
2010107552.tif 000012
【図１１】
2010107552.tif 000013
【図１２】
2010107552.tif 000014
【図１３】
2010107552.tif 000015